(57)【要約】【課題】位相制御方式で調光制御される照明器具を備える演出照明システムにおいて、簡易な方法でＬＥＤ照明器具を導入することができる、照明器具の制御装置及び演出照明システムを提供することである。【解決手段】ＬＥＤ照明器具４０の制御装置であって、ＬＥＤ照明器具４０を調光制御する位相制御信号を入力し、入力した位相制御信号から変換されたＤＭＸ制御信号を出力する制御装置である。【選択図】図１
2019029099.tif 000002
【特許請求の範囲】
【請求項１】
ＬＥＤ照明器具の制御装置であって、
前記ＬＥＤ照明器具を調光制御する位相制御信号を入力し、
入力した前記位相制御信号から変換されたＤＭＸ制御信号を出力することを特徴とする、
制御装置。
【請求項２】
それぞれが異なるＬＥＤ照明器具を調光制御する複数の位相制御信号を入力し、
前記ＤＭＸ制御信号において、前記ＬＥＤ照明器具の調光を制御する調光データが、前記位相制御信号によりそれぞれ制御されるＬＥＤ照明器具ごとに対応付けられたチャンネルに挿入されていることを特徴とする、
請求項１に記載の制御装置。
【請求項３】
請求項１または２に記載の制御装置と、
前記制御装置が出力したＤＭＸ信号を入力し、入力したＤＭＸ信号に従って調光する照明器具と、
前記位相制御信号を前記制御装置に出力する調光盤と、
を備えることを特徴とする、演出照明システム。
【発明の詳細な説明】
【技術分野】
【０００１】
本開示は、照明器具の制御装置及び演出照明システムに関する。
【背景技術】
【０００２】
従来、舞台、スタジオまたはホール等において照明演出を行うために、複数の照明器具を照明空間に設置し、各照明器具を調光操作卓及び調光盤により制御する演出照明システムがある。この種の演出照明システムでは、ハロゲンランプ等の電球を光源とする照明器具が用いられる。ハロゲン照明器具の調光レベルの調製は、調光操作卓の操作に応じて、調光盤が照明器具に供給する交流電力の電圧を位相制御することで行うことができる。近年、新設または改修の際に、ハロゲン照明器具に換えてＬＥＤ（Light Emitting Diode）を備えるＬＥＤ照明器具を採用した演出照明システムが増加している。
【０００３】
位相制御方式でハロゲン照明器具を調光制御する従来の演出照明システムでは、ハロゲン照明器具には調光盤から給電線が接続され、その給電量によって調光制御される。それに対して、ＤＭＸ（Digital Multiplex）制御方式でＬＥＤ照明器具を調光制御する演出照明システムでは、調光操作卓からＬＥＤ照明器具にＤＭＸ信号を伝送する信号線が直接接続され、調光盤を必要としない。調光操作卓が出力したＤＭＸ制御信号は、信号線を介してＬＥＤ照明器具に伝送され、ＬＥＤ照明器具の調光状態を制御する。
【０００４】
特許文献１には、照明器具が取り付けられた照明バトンを有する照明部、照明制御部及び調光盤を含んで構成される照明制御システムが記載されている。照明器具としては、調光盤が有する位相制御式の調光器によってそれぞれ調光制御されるハロゲンランプと、商用電源とＤＭＸ等の信号線を接続することで調光制御されるＬＥＤ照明とが記載されている。
【先行技術文献】
【特許文献】
【０００５】
【特許文献１】特開２０１５−５３６９号公報
【発明の概要】
【発明が解決しようとする課題】
【０００６】
位相制御方式で調光制御されるハロゲン照明器具等の照明器具を備える既存の演出照明システムにおいて、当該照明器具に換えてＬＥＤ照明器具を使用する際、ＬＥＤ照明器具に適したＤＭＸ制御方式等の他の制御方式に変更しようとすると、通常、大幅なシステム改修が必要となる。例えば、位相制御方式の演出照明システムで使用されていた調光盤の撤去、新たな信号線の敷設、調光盤を介さずにＬＥＤ照明器具の調光制御を可能にするシステムの構築等が求められる。
【０００７】
本開示の目的は、位相制御方式で調光制御される照明器具を備える演出照明システムにおいて、簡易な方法でＬＥＤ照明器具を導入することができる、照明器具の制御装置及び演出照明システムを提供することにある。
【課題を解決するための手段】
【０００８】
本開示の制御装置は、ＬＥＤ照明器具の制御装置であって、ＬＥＤ照明器具を調光制御する位相制御信号を入力し、入力した位相制御信号から変換されたＤＭＸ制御信号を出力する。
【発明の効果】
【０００９】
本開示に係る制御装置及び演出照明システムによれば、位相制御方式で調光制御される照明器具を備える演出照明システムにおいて、簡易な方法でＬＥＤ照明器具を導入することができる。
【図面の簡単な説明】
【００１０】
【図１】本開示の実施形態に係る演出照明システムの一例の構成を示すブロック図である。
【図２】図１に示す演出照明システムが備える信号変換装置の構成を示すブロック図である。
【図３】本開示の実施形態に係る演出照明システムの他の例の構成を示すブロック図である。
【図４】図３に示す演出照明システムが備える信号変換装置の構成を示すブロック図である。
【図５】本開示の実施形態に係る演出照明システムの他の例の構成を示すブロック図である。
【図６】従来の演出照明システムの一例の構成を示すブロック図である。
【図７】従来の演出照明システムの他の例の構成を示すブロック図である。
【図８】従来の演出照明システムの他の例の構成を示すブロック図である。
【発明を実施するための形態】
【００１１】
以下に、本開示に係る実施の形態について、図面を参照しながら詳細に説明する。以下の説明において、具体的な数値、数量、方向等は、本開示の理解を容易にするための例示であって、演出照明システムの仕様に合わせて適宜変更することができる。また、以下において複数の実施形態や変形例等が含まれる場合、それらの特徴部分を適宜に組み合わせて用いることは当初から想定されている。以下では、すべての図面において同様の要素には同一の符号を付して説明する。
【００１２】
［第１の実施形態］
図１は、実施形態に係る演出照明システム１の一例の構成を示すブロック図である。図２は、演出照明システム１を構成する信号変換装置３０の構成を示すブロック図である。
【００１３】
本実施形態にかかる演出照明システム１は、例えば舞台、スタジオまたはホール等に用いられ、照明器具の調光制御により照明演出を行う照明制御システムである。図１に示す演出照明システム１は、調光操作卓１０と、調光盤２０と、信号変換装置（制御装置）３０と、ＬＥＤ照明器具４０と、を備える。
【００１４】
調光操作卓１０は、ＬＥＤ照明器具４０の点灯・消灯を切り替えるオンオフ制御や、ＬＥＤ照明器具４０の光量を変更する等の調光状態を制御する制御信号を、調光盤２０に出力する。調光操作卓１０には、ＬＥＤ照明器具４０にそれぞれ対応したスイッチやフェーダ等の操作子が配置された操作パネル（図示せず）が設置されている。調光操作卓１０は、操作子の操作内容、例えば、スイッチ等のオンオフ操作やフェーダ等の調光操作に応じた制御信号を生成して、信号線Ｌ１を介して調光盤２０に出力する。調光操作卓１０が出力する制御信号としては、例えばＤＭＸ信号が挙げられるが、特に限定されない。ユーザは、この調光操作卓１０の各操作子を操作することで、ＬＥＤ照明器具４０の点灯、消灯、調光レベルの調整等を行うことができる。
【００１５】
調光盤２０は、入力した制御信号に応じて位相制御信号を生成して、信号線Ｌ２を介して信号変換装置３０に出力するように構成されている。即ち、調光盤２０は、外部の電源（図示せず）から供給された電力を給電する際の給電量を変更することにより、ＬＥＤ照明器具４０の調光状態を制御する。よって、調光盤２０により出力される位相制御信号の数は、１個の信号線Ｌ２に対して１個のみである。図１では、１個の信号線Ｌ２に対してＬＥＤ照明器具４０を１個のみ図示しているが、複数個のＬＥＤ照明器具４０を１個の信号変換装置３０に接続し、同じ位相制御信号により一括して調光制御を行ってもよい。
【００１６】
また、図１では、調光盤２０に接続された信号線Ｌ２を１個のみ図示しているが、演出照明システム１において、調光盤２０によって調光制御されるＬＥＤ照明器具４０の数及び種類は、任意に設定できる。例えば、第２実施形態において詳しく説明するように、複数個の位相制御信号を信号変換装置３０に送信して、各位相制御信号により異なるＬＥＤ照明器具４０に対して独立して調光制御を行ってもよい。
【００１７】
信号変換装置３０は、調光盤２０から出力された位相制御信号を入力し、ＤＭＸ制御信号に変換して、ＬＥＤ照明器具４０に出力するように構成されている。換言すれば、信号変換装置３０は、入力した位相制御信号と同じ調光制御をさせるＤＭＸ制御信号を作成し、ＬＥＤ照明器具４０に出力する。
【００１８】
ＤＭＸ（Digital Multiplex）信号は、ＤＭＸ５１２／１９９０規格、ＤＭＸ５１２−Ａ規格等の通信プロトコルに基づく信号であり、照明器具や演出機器等の分野において、規格化された制御信号として周知である。ＤＭＸ信号は、５１２個のチャンネルを有し、最大５１２個分のデータをシリアルに送信可能であるため、大量の光源を個別に且つ同時に制御することができる。
【００１９】
図２に示す信号変換装置３０は、受信部３２、信号制御部３４、送信部３６及び記憶部３８を有する。信号制御部３４は、位相制御信号を伝送する信号線Ｌ２と受信部３２を介して接続し、ＤＭＸ制御信号を伝送する信号線Ｌ３と送信部３６を介して接続する。信号変換装置３０には外部からの給電を受ける給電線（図示しない）が接続されており、信号制御部３４等の信号変換装置３０の構成要素に電力が供給される。信号変換装置３０は、例えば、天井等から吊るされるバトン装置等の設置器具（図示せず）に取り付けられる。
【００２０】
受信部３２は、調光盤２０から出力された位相制御信号を受信して信号制御部３４に伝送するように構成されている。信号制御部３４は、受信部３２から伝送されてきた位相制御信号をＤＭＸ制御信号に変換するように構成されている。信号制御部３４は、例えば、マイクロコンピュータによって構成され、プログラムに従って動作するプロセッサ（演算処理部）を主なハードウェア構成として備える。信号制御部３４は、記憶部３８に記憶されたプログラム、データ、マップ等を読み出して、所定の動作を実行する。プロセッサは、例えば、半導体集積回路（ＩＣ）、またはＬＳＩ（Large Scale Integration）を含む１つまたは複数の電子回路で構成される。
【００２１】
ＤＭＸ制御信号の各チャンネルには、例えば、調光制御するＬＥＤ照明器具４０に関連付けるアドレスを示すアドレスデータ、及び、ＬＥＤ照明器具４０を調光制御する調光データ等の制御データ等が挿入されている。位相制御信号に含まれる調光制御データは、信号制御部３４が行う演算により、ＤＭＸ制御信号に対応する調光データに変換される。また、信号制御部３４は、ＬＥＤ照明器具４０を調光制御するＤＭＸ制御信号を作成する。変換された調光データは、作成されたＤＭＸ制御信号に含まれるチャンネルのうち、調光制御を行うＬＥＤ照明器具４０に対応付けられたチャンネルに挿入される。具体的には、例えば、位相制御信号により調光制御されるＬＥＤ照明器具４０と、調光データを挿入するチャンネルのアドレスとが関連付けられたマップ等を、記憶部３８に予め記憶させる。信号制御部３４は、記憶部３８に記憶された当該マップ等を読み出すことで、ＬＥＤ照明器具４０に関連付けられたアドレスを有するチャンネルに、変換された調光データを挿入する。なお、位相制御方式の信号からＤＭＸ方式の信号への変換方法は、本開示に係る照明制御等の分野において周知の技術であるので、説明を省略する。
【００２２】
送信部３６は、ＬＥＤ照明器具４０に信号線Ｌ３を介して接続され、ＬＥＤ照明器具４０を調光制御する調光信号を含むＤＭＸ制御信号を出力するように構成されている。
【００２３】
ＬＥＤ照明器具４０は、光源として半導体発光素子であるＬＥＤを有し、ＤＭＸ制御信号に従って調光状態等が制御される。ＬＥＤ照明器具４０は、ＤＭＸ制御信号を入力する入力端子と、ＤＭＸ制御信号を出力する出力端子とを有する。
【００２４】
ＬＥＤ照明器具４０は、例えば、バトン装置等に取り付けられている。また、ＬＥＤ照明器具４０には、ＬＥＤ照明器具４０に対して点灯電力を供給する給電線（図示しない）が接続されている。ＬＥＤ照明器具４０への給電は、例えば、給電線を上記のバトン装置に設けた給電用コネクタに接続して、バトン装置を経由して行ってもよいし、給電線を信号変換装置３０に接続して、信号変換装置３０を経由して行ってもよい。
【００２５】
ＬＥＤ照明器具４０は、少なくとも、信号変換装置３０につながる信号線Ｌ３と入力端子を介して接続される。これにより、ＬＥＤ照明器具４０は、信号変換装置３０が出力し、信号線Ｌ３を介して伝送されたＤＭＸ制御信号を入力する。ＬＥＤ照明器具４０は、入力したＤＭＸ制御信号に含まれる、ＬＥＤ照明器具４０に対応付けられたチャンネルに挿入された調光データに基づいて、オンオフ及び調光レベル等の調光状態を変更する。
【００２６】
本実施形態の演出照明システム１によるＬＥＤ照明器具４０の調光制御方法をまとめると、以下の通りである。調光操作卓１０において、点灯スイッチによるオンオフ操作やフェーダによる調光レベルの操作等が行われると、調光操作卓１０は、制御信号を信号線Ｌ１を介して調光盤２０に送信する。調光盤２０は、調光操作卓１０から出力された制御信号を受信すると、ＬＥＤ照明器具４０の調光状態を制御する位相制御信号を、ＬＥＤ照明器具４０に対応付けられた信号線Ｌ２を介して、信号変換装置３０に送信する。
【００２７】
信号変換装置３０は、受信部３２において受信した制御信号を、信号制御部３４においてＤＭＸ制御信号に変換する。そして、送信部３６は、変換したＤＭＸ制御信号をＬＥＤ照明器具４０に送信する。信号変換装置３０から送信されたＤＭＸ制御信号には、ＬＥＤ照明器具４０に対応付けて予め割り当てられたチャンネルに、ＬＥＤ照明器具４０の調光制御を行うための調光データが挿入されている。ＬＥＤ照明器具４０は、受信したＤＭＸ制御信号に含まれる当該調光データに基づいて、ＬＥＤ光源のオンオフ或いは調光レベルを変更する。その結果、ＬＥＤ照明器具４０は、調光操作卓１０の操作状態に応じて点灯及び調光レベルが制御される。
【００２８】
上述したように、信号変換装置３０は、調光盤２０が出力した位相制御信号を、調光状態の制御内容を保持したままＤＭＸ制御信号に変換して、ＬＥＤ照明器具４０に出力し、ＬＥＤ照明器具４０を調光制御させることができる。このような信号変換装置３０を用いると、ハロゲン照明器具等を用いる既存の演出照明システムにＬＥＤ照明器具を導入する際、大幅なシステム改修を必要としない。即ち、既存の演出照明システムにおいて、既に有している施設を利用した簡易な方法で、ハロゲン照明器具等に換えてＬＥＤ照明器具を導入することが可能となる。
【００２９】
図６に、位相制御信号によりハロゲン照明器具６０を調光制御する演出照明システム１００の一例を示す。図６に示す演出照明システム１００では、ハロゲン照明器具６０には調光盤２０から給電線が接続され、位相制御によりその給電量を調整して、ハロゲン照明器具６０のオンオフ及び調光レベルの制御が行われる。図６に示す演出照明システム１００において、ハロゲン照明器具６０に換えて、本実施形態の信号変換装置３０及びＬＥＤ照明器具４０を用いることにより、図１に示す演出照明システム１を構築することができる。
【００３０】
より詳しくは、図６に示す演出照明システム１００において、バトン装置に吊り下げるハロゲン照明器具６０をＬＥＤ照明器具４０に換え、同じバトン装置に上述の信号変換装置３０を吊り下げる。その上で、ハロゲン照明器具６０に接続されていた信号線（給電線）Ｌ２を信号変換装置３０に接続し、ＬＥＤ照明器具４０と信号変換装置３０とをＤＭＸ信号を伝送可能な信号線で接続し、ＬＥＤ照明器具４０及び信号変換装置３０に別途給電線を接続する。このように照明器具が設置される箇所に制御装置を追加で設置することで、同様の調光操作でＬＥＤ照明器具の調光制御が可能な、本実施形態の演出照明システム１に変更できる。
【００３１】
上述の通り、従来の演出照明システムにおいてハロゲン照明器具等に換えてＬＥＤ照明器具を導入するためには、信号線の再敷設や調光盤の撤去等の大幅なシステム改修が必要と考えられていた。そのため、演出照明システムを備える舞台やホール等の新設或いは改装工事等が行われる際に、ＬＥＤ照明器具が導入されることが多く、既存の演出照明システムへのＬＥＤ照明器具の導入はあまり進んでいなかった現状がある。それに対して、本実施形態の演出照明システム１では、上記の信号変換装置３０をＬＥＤ照明器具４０とともに使用することで、上述のようなごく小規模な器具の設置変更のみで、ハロゲン照明器具に換えてＬＥＤ照明器具４０を導入することが可能になる。
【００３２】
なお、図１に示す演出照明システム１では、１個の信号変換装置３０に対して１個のＬＥＤ照明器具４０が接続されている態様を示している。しかしながら、本実施形態に係る演出照明システム１において、信号変換装置３０が出力するＤＭＸ制御信号により調光制御するＬＥＤ照明器具４０の数及び種類は、任意に設定できる。例えば、１個のＬＥＤ照明器具の出力端子と他のＬＥＤ照明器具の入力端子とをＤＭＸ信号を伝送可能な信号線で接続し、最上流のＬＥＤ照明器具のみを信号変換装置に接続することで、複数個のＬＥＤ照明器具をシリアルに接続する（デイジーチェーン）。そして、接続された複数個のＬＥＤ照明器具を、同一のチャンネルに挿入された調光データに基づいて調光制御されるように設定する。これにより、調光盤２０が出力する１つの位相制御信号に複数個のＬＥＤ照明器具を対応付けて、１個のフェーダ操作等により一括して制御（いわゆるグループ制御）することができる。
【００３３】
［第２の実施形態］
次に、第２の実施形態に係る演出照明システム２について図３及び図４を参照して説明する。図３は、第２の実施形態の一例である演出照明システム２を示す。また、図４は、図３に示す演出照明システム２を構成する信号変換装置５０を示す。図３及び図４では、図１及び図２に示す第１の実施形態に係る演出照明システム２と同等の機能を有する部材に同一の符号を付している。
【００３４】
図３に示す演出照明システム２は、調光操作卓１０と、調光盤２０と、信号変換装置（制御装置）５０と、ＬＥＤ照明器具４１、４２、４３及び４４と、を備える。図３に示す演出照明システム２と図１に示す演出照明システム１とは、調光盤２０と信号変換装置５０とを接続する信号線Ｌ２の数、調光制御される４個のＬＥＤ照明器具４１、４２、４３及び４４等を設けた点等が異なる。
【００３５】
本実施形態に係る演出照明システム２では、互いに独立して調光制御されるＬＥＤ照明器具４１、４２、４３及び４４を備える。ＬＥＤ照明器具４１〜４４は、ＤＭＸ信号を伝送可能な信号線Ｌ３によりシリアル接続されている。即ち、ＬＥＤ照明器具４１の出力端子とＬＥＤ照明器具４２の入力端子、ＬＥＤ照明器具４２の出力端子とＬＥＤ照明器具４３の入力端子、ＬＥＤ照明器具４３の出力端子とＬＥＤ照明器具４４の入力端子が、それぞれ信号線Ｌ３により接続される。また、ＬＥＤ照明器具４１の入力端子は、信号線Ｌ３を介して信号変換装置５０と接続する。
【００３６】
本実施形態では、調光操作卓１０には、オンオフ制御や光量を変更するためのスイッチやフェーダ等の操作子が、ＬＥＤ照明器具４１〜４４ごとに操作パネルに設置される。調光操作卓１０は、操作子の操作内容に応じた制御信号を生成して、信号線Ｌ１を介して調光盤２０に出力する。調光盤２０は、入力した制御信号に応じて位相制御信号を生成して、ＬＥＤ照明器具４１〜４４のそれぞれに対応付けられた信号線Ｌ２１〜Ｌ２４を介して、当該位相制御信号を信号変換装置５０に出力するように構成されている。
【００３７】
信号変換装置５０は、調光盤２０から信号線Ｌ２１、Ｌ２２、Ｌ２３及びＬ２４を介して出力された位相制御信号を入力し、ＤＭＸ制御信号に変換して、ＬＥＤ照明器具４１、４２、４３及び４４に出力するように構成されている。このとき、信号変換装置５０は、信号線Ｌ２１〜Ｌ２４のそれぞれから受信した位相制御信号に含まれる調光制御情報が、変換されたＤＭＸ制御信号において、対応付けられたＬＥＤ照明器具４１〜４４ごとに異なるチャンネルに挿入されるよう、構成されている。
【００３８】
図４を参照しながら、信号変換装置５０にて行われる位相制御信号からＤＭＸ制御信号への変換の態様について、説明する。図４に示す信号変換装置５０は、受信部３２、信号制御部３４、送信部３６及び記憶部３８を有する。受信部３２は、信号線Ｌ２１〜Ｌ２４と接続し、調光盤２０から各ＬＥＤ照明器具４１〜４４ごとに調光制御するよう出力された位相制御信号を受信して、信号制御部３４に伝送するように構成されている。
【００３９】
信号制御部３４は、各位相制御信号に含まれる調光制御データを、位相制御信号を伝送した信号線Ｌ２１〜Ｌ２４ごとに、ＤＭＸ制御信号に対応する調光データに変換する演算を行う。また、信号制御部３４により、ＬＥＤ照明器具４１〜４４を調光制御するＤＭＸ制御信号が作成される。変換された調光データは、作成されたＤＭＸ制御信号に含まれるチャンネルに挿入される。このとき、信号線Ｌ２１〜Ｌ２４に基づくそれぞれの調光データは、調光制御を行うＬＥＤ照明器具４１〜４４に対応付けられた、異なるチャンネルに挿入される。具体的には、例えば、信号線Ｌ２１〜Ｌ２４、ＬＥＤ照明器具４１〜４４、及び、調光データを挿入するチャンネルのアドレスが関連付けられたマップ等を、記憶部３８に予め記憶させる。信号制御部３４は、記憶部３８に記憶された当該マップ等を読み出すことで、信号線Ｌ２１〜Ｌ２４とＬＥＤ照明器具４１〜４４とに関連付けられたアドレスを有するチャンネルに、変換された調光データを挿入する。このようにして、ＬＥＤ照明器具４１〜４４ごとに異なるアドレスに調光データが挿入されたＤＭＸ制御信号が、信号変換装置５０の送信部３６からＬＥＤ照明器具４１〜４４に送信される。
【００４０】
例えばバトン装置等に取り付けられたＬＥＤ照明器具４１〜４４は、上述の通り、信号変換装置３０とシリアル接続することで、信号変換装置３０により出力されて信号線Ｌ３を介して伝送されたＤＭＸ制御信号を入力する。ＬＥＤ照明器具４１〜４４のそれぞれは、入力したＤＭＸ制御信号に含まれる、ＬＥＤ照明器具４１〜４４のそれぞれに対応付けられたチャンネルに挿入された調光データに基づいて、オンオフ及び調光レベル等の調光状態を変更する。
【００４１】
なお、各調光データを挿入するチャンネルは、互いに独立である限り、信号線Ｌ２１〜Ｌ２４と接続する信号変換装置５０の入力端子の位置や、ＬＥＤ照明器具４１〜４４の配置の順序によらず、任意に設定することができる。ＤＭＸ制御信号において、ＬＥＤ照明器具４１〜４４のそれぞれに対応付けられた調光データのチャンネルの割り当てが適宜変更可能であることにより、調光操作卓１０の各操作子とＬＥＤ照明器具４１〜４４の対応関係を任意に選択できるという利点を有する。
【００４２】
本実施形態の演出照明システム２によるＬＥＤ照明器具４１〜４４の調光制御方法をまとめると、以下の通りである。調光操作卓１０において、ＬＥＤ照明器具４１〜４４のそれぞれに対して点灯スイッチによるオンオフ操作やフェーダによる調光レベル操作等の調光操作が行われると、調光操作卓１０は、制御信号を信号線Ｌ１を介して調光盤２０に送信する。調光盤２０は、調光操作卓１０から出力された制御信号を受信すると、調光状態を制御する位相制御信号を、ＬＥＤ照明器具４１〜４４のそれぞれに対応付けられた信号線Ｌ２１〜Ｌ２４を介して、信号変換装置５０に送信する。
【００４３】
信号変換装置５０は、受信部３２において受信した制御信号を、信号制御部３４においてＤＭＸ制御信号に変換し、送信部３６からＬＥＤ照明器具４１〜４４に送信する。ＬＥＤ照明器具４１〜４４は、受信したＤＭＸ制御信号の、各自に割り当てられたチャンネルに含まれる調光データに基づいて、ＬＥＤ光源のオンオフ或いは調光レベル等を変更する。その結果、ＬＥＤ照明器具４１〜４４は、調光操作卓１０の操作状態に応じて点灯及び調光レベルが制御される。
【００４４】
上述したように、信号変換装置５０は、調光盤２０がＬＥＤ照明器具４１〜４４ごとに調光制御するよう、異なる信号線Ｌ２１〜Ｌ２４に出力した位相制御信号を、調光制御の内容及び制御対象を変えることなく、ＤＭＸ制御信号に変換し、出力することができる。
【００４５】
図７に、照明装置として複数個のハロゲン照明器具６１〜６４を用いた従来の演出照明システム１０１を示す。図７に示す演出照明システム１０１は、調光操作卓１０、調光盤２０及びハロゲン照明器具６１〜６４を備える。調光盤２０は、ハロゲン照明器具６１〜６４と信号線Ｌ２１〜Ｌ２４を介してそれぞれ接続されている。これにより、演出照明システム１０１では、調光操作卓１０及び調光盤２０によって、複数個のハロゲン照明器具６１〜６４の調光制御が互いに独立して行われている。図７に示すような演出照明システム３において、ハロゲン照明器具６１〜６４に換えて本実施形態の信号変換装置５０及びＬＥＤ照明器具４１〜４４を用いることにより、図３に示す演出照明システム２を構築することができる。
【００４６】
例えば、第１の実施形態で述べたのと同様に、バトン装置に吊り下げるハロゲン照明器具６１〜６４をＬＥＤ照明器具４１〜４４に換え、同じバトン装置に上述の信号変換装置５０を吊り下げる。その上で、ハロゲン照明器具６１〜６４に接続されていた信号線（給電線）Ｌ２１〜Ｌ２４を信号変換装置に接続し、ＬＥＤ照明器具４１〜４４と信号変換装置５０とをＤＭＸ信号を伝送可能な信号線Ｌ３で接続する。また、ＬＥＤ照明器具４１〜４４及び信号変換装置５０に別途給電線を接続する。このように、ハロゲン照明器具６１〜６４を備える演出照明システム１０１において、バトン装置に吊り下げる機器を変更及び追加するのみで、同様の調光操作で複数個のＬＥＤ照明器具４１〜４４を独立して調光制御可能な演出照明システムに変更できる。したがって、信号変換装置５０を用いると、異なる位相制御信号で調光制御される複数のハロゲン照明器具等を用いる演出照明システムにＬＥＤ照明器具を導入する際、信号線の再敷設や光盤の撤去等の大幅なシステム改修を必要としない。即ち、既存の演出照明システムにおいて、既に有している施設を利用した簡易な方法で、ハロゲン照明器具等に換えてＬＥＤ照明器具を導入することができる。
【００４７】
なお、上記の説明では、調光盤２０と信号変換装置５０との間に、位相制御信号を伝送する４本の信号線Ｌ２が接続され、４個のＬＥＤ照明器具４１〜４４を調光制御する構成を有する本実施形態の演出照明システム２を示した。しかしながら、本実施形態の演出照明システム２において、各位相制御信号に関連付けられたＬＥＤ照明器具の個数、及び、ＬＥＤ照明器具を独立して調光制御するための位相制御信号の個数（即ち信号線Ｌ２の本数）は、任意に設定できる。いずれの場合においても、本実施形態の演出照明システム２において使用される全てのＬＥＤ照明器具は、ＤＭＸ信号を伝送可能な信号線Ｌ３により、シリアルに接続することができる。また、信号線Ｌ３は、分岐を有していてもよい。
【００４８】
［第３の実施形態］
次に、第３の実施形態に係る演出照明システム３について図５を参照して説明する。図５は、第３の実施形態の一例である演出照明システム３を示す。図５では、図３に示す第１の実施形態に係る演出照明システム３と同等の機能を有する部材に同一の符号を付している。
【００４９】
図５に示す演出照明システム３は、調光操作卓１０と、調光盤２０と、信号変換装置（制御装置）５０と、カラーＬＥＤ照明器具４５と、を備える。図５に示す演出照明システム３は、ＤＭＸ信号を伝送可能な信号線Ｌ３により接続されたカラーＬＥＤ照明器具４５を備える。カラーＬＥＤ照明器具４５は、互いに独立して調光制御可能な、赤、緑、青及び白色の４色のＬＥＤ光源を備える。
【００５０】
図５に示す本実施形態の演出照明システム３と図３に示す第２の実施形態の演出照明システム２とは、４個のＬＥＤ照明器具４１〜４４に換えて、４色の光源をそれぞれ独立して調光制御可能なカラーＬＥＤ照明器具４５を備える点において異なる。しかしながら、４個のＬＥＤ照明器具４１〜４４に対応付けられていた各信号が、カラーＬＥＤ照明器具４５に含まれる４色の光源に対応付けられること以外、本実施形態と第２の実施形態とは、略同一の構成を有する。したがって、本実施形態の演出照明システム３では、信号変換装置５０による位相制御信号からＤＭＸ制御信号への変換、及び、カラーＬＥＤ照明器具４５の調光制御についても、上述の第２の実施形態と同様の方法で行うことができる。
【００５１】
即ち、調光操作卓１０において各光源に対する調光操作が行われると、調光操作卓１０は、制御信号を信号線Ｌ１を介して調光盤２０に送信する。調光盤２０は、調光操作卓１０から出力された制御信号を受信すると、調光状態を制御する位相制御信号を、各光源に対応付けられた信号線Ｌ２１〜Ｌ２４を介して、信号変換装置５０に送信する。信号変換装置５０は、受信した制御信号をＤＭＸ制御信号に変換し、カラーＬＥＤ照明器具４５に送信する。カラーＬＥＤ照明器具４５は、受信したＤＭＸ制御信号の、各光源に割り当てられたチャンネルに含まれる調光データに基づいて、各光源のオンオフ或いは調光レベル等を変更する。このようにして、カラーＬＥＤ照明器具４５の各光源は、調光操作卓１０の操作状態に応じて点灯及び調光レベルが制御される。
【００５２】
図８に、ハロゲンランプを用いて赤、緑、青及び白の４色の照明を行う従来の演出照明システム１０２を示す。図８に示す演出照明システム１０２は、調光操作卓１０、調光盤２０を備え、さらに、照明器具として、赤、緑及び青のカラーフィルターをそれぞれ有するハロゲン照明器具７１〜７３と、カラーフィルターを有さない（白色の）ハロゲン照明器具７４とを備える。調光盤２０は、ハロゲン照明器具７１〜７４と信号線Ｌ２１〜Ｌ２４を介してそれぞれ接続されている。これにより、演出照明システム１０２では、調光操作卓１０及び調光盤２０によって、赤、緑、青及び白の各色を呈するハロゲン照明器具７１〜７４の調光制御が互いに独立して行われている。このような演出照明システム３において、ハロゲン照明器具７１〜７４に換えて本実施形態の信号変換装置５０及びカラーＬＥＤ照明器具４５を用いることで、図５に示す演出照明システム３を構築することができる。
【００５３】
例えば、図８に示す演出照明システム１０２において、ハロゲン照明器具７１〜７４がバトン装置に吊り下げられている場合を想定する。このような演出照明システム１０２において、バトン装置に吊り下げる機器を変更及び追加するのみで、同様の調光操作でカラーＬＥＤ照明器具４５の各光源を独立して調光制御することが可能な演出照明システムに変更できる。したがって、信号変換装置５０を用いることで、各色ごとに個別にハロゲン照明器具を設けていた従来の演出照明システムにＬＥＤ照明器具を導入する際、信号線の再敷設や調光盤の撤去等の大幅なシステム改修を必要としない。即ち、既存の演出照明システムにおいて、既に有している施設を利用した簡易な方法で、ハロゲン照明器具等に換えてＬＥＤ照明器具を導入することができる。しかも、異なる色を呈する複数種の光源を有するカラーＬＥＤ照明器具を用いることにより、単一のＬＥＤ照明器具を設置すればよく、各色ごとにハロゲン照明器具を用意する必要は無くなり、なお且つ、各色ごとに独立して調光制御をすることが可能となる。
【００５４】
上記の説明では、４色の光源を有するカラーＬＥＤ照明器具４５の各光源を調光制御する場合を例に本実施形態の演出照明システム３を示した。しかしながら、本実施形態の演出照明システム３において、ＬＥＤ照明器具は、異なる色を呈する光源を２種類、３種類或いは５種類以上有していてもよい。また、複数色の光源を有するカラーＬＥＤ照明器具の個数は、任意に設定できる。
【００５５】
なお、本開示は、上記の各実施形態に限定されるものではなく、本願の特許請求の範囲に記載された事項及びその均等な範囲において種々の改良や変更が可能である。
【００５６】
上記の各実施形態では、照明器具としてＬＥＤ照明器具のみを備える演出照明システムを例に説明したが、演出照明システムにおいて、ＬＥＤ照明器具及びハロゲン照明器具の両者を備え、これらを同時に使用してもよい。これにより、既存の位相制御方式の演出照明システムをそのまま使用して、場面によってＬＥＤ照明器具とハロゲン照明器具とを使い分けることができ、両者の長所を生かした照明演出を行うことが可能となる。
【００５７】
また、演出照明システムによる調光制御は、ＬＥＤ照明器具のオンオフ及び調光レベルのみに限定されず、従来、位相制御信号により制御可能なものであればいずれも行うことができる。本開示の演出照明システムでは、例えば、ＬＥＤ照明器具における照射角（パン及びチルト）、焦点距離、図柄（ゴボ）等を制御することも可能である。
【符号の説明】
【００５８】
１，２，３  演出照明システム、１０  調光操作卓、２０  調光盤、３０，５０  信号変換装置（制御装置）、３２  受信部、３４  信号制御部、３６  送信部、３８  記憶部、４０，４１，４２，４３，４４  ＬＥＤ照明器具、４５  カラーＬＥＤ照明器具、Ｌ１，Ｌ２，Ｌ２１，Ｌ２２，Ｌ２３，Ｌ２４，Ｌ３  信号線。
【図１】
2019029099.tif 000003
【図２】
2019029099.tif 000004
【図３】
2019029099.tif 000005
【図４】
2019029099.tif 000006
【図５】
2019029099.tif 000007
【図６】
2019029099.tif 000008
【図７】
2019029099.tif 000009
【図８】
2019029099.tif 000010